(57)【特許請求の範囲】
【請求項１】
スライダーの胴体１の上面に引手取付部４を設け、該取付部４に対し、連結体３の一部をスライダーの摺動方向と直交状に挿通して横方向に回動可能に形成し、連結体３の左右いずれか一方側に弾性体から形成された引手２を固定して固定部２２を形成し、引手２を常時胴体１の上面へ横倒しに倒伏する形に付勢してなることを特徴とするスライドファスナー用スライダーの引手。
【請求項２】
弾性体から形成された引手２は、環状に形成し、環状の一部を連結体３に設けた縦バー２１に固定して固定部２２を形成してなる請求項１記載のスライドファスナー用スライダーの引手。
【請求項３】
弾性体から形成された引手２は、板状に形成し、板状の一部を連結体３に設けた縦バー２１に固定して固定部２２を形成してなる請求項１記載のスライドファスナー用スライダーの引手。
【請求項４】
連結体３は取付部４に挿通できる２本の横バー２０を間隔をおいて配し、横バー２０の先端に横バー２０よりも前後に突出する縦バー２１を一体に成形してなる請求項１記載のスライドファスナー用スライダーの引手。
【請求項５】
連結体３は弾性体の引手２を固定した固定部２２をスライダーの胴体１の上面へ当接状態に載置してなる請求項１記載のスライドファスナー用スライダーの引手。
【請求項６】
連結体３は一方側に縦バー２１を配し、該縦バー２１にＵ字形の横バー２０を連接し、胴体１の上面に設けた取付部４の左右に配される横バー２０間に胴体１の上面に突設した突起６を嵌合してなる請求項１記載のスライドファスナー用スライダーの引手。
【請求項７】
連結体３は胴体１の上面に設けた取付部４を遊嵌できる環状の支持部２３を有し、支持部２３の外側に胴体１の上面へ張り出す規制部２６を設け、該規制部２６の反対側に弾性体の引手２を固定した固定部２２を設けてなる請求項１記載のスライドファスナー用スライダーの引手。
【請求項８】
連結体３は１本の横バー２０の両端に縦バー２１を連接し、一方側の縦バー２１の外側に突出する係止部２７を設け、該係止部２７に弾性体の引手２を取付環２８によって固定してなる請求項１記載のスライドファスナー用スライダーの引手。
【請求項９】
連結体３は横設した横バー２０を胴体１の上面に取り付けたカバー体５内に内装した自動停止爪杆１０に挿通し、停止爪杆１０を浮上可能に形成してなる請求項１記載のスライドファスナー用スライダーの引手。
【請求項１０】
弾性体の引手２は、連結体３の一方側に配した縦バー２１を埋装し固定して固定部２２を形成してなる請求項２または３記載のスライドファスナー用スライダーの引手。
【請求項１１】
弾性体の引手２は、胴体１の中央長手方向においてくびれたまたは凹状のくびれ部３１を形成してなる請求項２または３記載のスライドファスナー用スライダーの引手。
【請求項１２】
弾性体の引手２は、連結体３を固定した固定部２２の反対側に拡径状または肉厚状の掴持部３０を形成してなる請求項２または３記載のスライドファスナー用スライダーの引手。
【請求項１３】
弾性体の引手２は、環状に形成し連結体３を固定した固定部２２の反対側に斜め前方へ空隙が拡大する掴持部３０を形成してなる請求項２記載のスライドファスナー用スライダーの引手。
【請求項１４】
弾性体の引手２は、環状のＤ字形または逆Ｄ字形に形成し連結体３を固定した固定部２２の反対側の前後に空隙が拡大する掴持部３０を形成してなる請求項２記載のスライドファスナー用スライダーの引手。
【請求項１５】
弾性体の引手２は、板状に形成し、固定部２２を基準に起立して取付部を被覆する形に屈折して屈曲部３２を設けてなる請求項３記載のスライドファスナー用スライダーの引手
【請求項１６】
弾性体の引手２は、天然ゴム、合成ゴム、熱可塑性エラストマーから形成してなる請求項１記載のスライドファスナー用スライダーの引手。
【発明の詳細な説明】
【０００１】
【発明の属する技術分野】
この発明は、トレーニングウエア、ジャケットなど主に前あき衣服の前立に用いるスライドファスナー用スライダーの引手であって、引手は弾性体から形成され、スライダーに対し横倒しに胴体上へ倒伏するように付勢し、衣服を着用中むやみに引手が揺動することなく安定した状態を保持できるスライドファスナー用スライダーの引手に関するものである。
【０００２】
【従来の技術】
従来、図１５に示すようにスライダーの引手をスライダー胴体の摺動方向と同一方向に枢支した連結体に固定した弾性部材から形成し、弾性部材は弾性部材自体と連結体とを停止位置において、スライダーと概ね同一面の前後方向に弾性的に移動し保持でき、連結体はスライダーに枢支した第１端部と弾性部材に固定されている第２端部とを有し、弾性部材は連結体の第２端部から離れた位置に配される自由端部を有し、弾性部材の自由端部と連結体の第２端部とは停止位置においてスライダーの相対向する端部に配し、しかも連結体の第１端部は連結体の第２端部と弾性部材の自由端部との間に配するスライドファスナー用スライダーが米国特許第５、１０１、５３８号明細書に開示されている。
【０００３】
【発明が解決しようとする課題】
前項で述べた図１５に示したスライドファスナー用スライダーの引手は、スライダーを前後に摺動させスライドファスナーを閉鎖させるには、リング状の弾性部材の引手を前方へ引っ張らなければならず、その際自由端部と連結体に固定した第２端部との間で、弾性部材を約１８０度近い捻転を行って前方へ引っ張らなければならない。またスライドファスナーを分離開口させるためには、後方へ引っ張るとやはり自由端部と連結体に固定した第２端部との間で、約１８０度に近い捻転をさせて引っ張らないと後方へ摺動させることができない。したがってリング状の弾性部材は連結体に固定した第２端部に捻転による荷重が加わり損傷するおそれがあり長期の使用に耐えられないなど問題点がある。
【０００４】
この発明は、上述の問題点を考慮して発明されたものであり、この発明のうち請求項１記載の発明は、スライダーの胴体に連結体により取り付けた弾性体の引手をスライダーの摺動方向と直交する方向へわずかな回転量によって回動させて引っ張ることにより、スライドファスナーを開閉させる。その際、弾性体の捻転度合は少なくて開閉操作ができ、引手の捻転による損傷を防ぎ、長期の使用に耐え、かつ引手はぶらぶら揺動することなく安定した状態を保持し、使用者に不快感を与えないスライドファスナー用スライダーの引手を提供することが主たる目的である。
【０００５】
請求項２および３記載の発明は、それぞれ請求項１記載の発明の目的に加え、スライダーの胴体に取り付ける弾性体から形成した引手の形態を特定することによって、各種タイプのスライダーに適応した弾性体の引手を提供することが目的である。
【０００６】
請求項４乃至９記載の発明は、それぞれ請求項１記載の発明の目的に加え、スライダーの胴体に環状または板状の弾性体から形成した引手を取り付けるための連結体の形態を特定することによって、各種タイプの連結体により各種タイプの弾性体の引手を安定した状態に固定し、長期の使用に耐えられるスライドファスナー用スライダーの引手の連結体を提供することが目的である。
【０００７】
請求項１０乃至１５記載の発明は、それぞれ請求項２または３記載の発明の目的に加え、スライダーの胴体に取り付けて使用する弾性体の環状または板状の引手の形態を特定することによって、各種タイプの連結体に適した装備ができ、安定した状態に保持して操作のし易いスライドファスナー用スライダーの弾性体の引手を提供することが目的である。
【０００８】
請求項１６記載の発明は、請求項１記載の発明の目的に加え、弾性体から形成された環状または板状の引手の素材材質を特定することによって、簡単かつ容易に各種タイプの引手を作製できる弾性体の引手を提供することが目的である。
【０００９】
【課題を解決するための手段】
前記の目的を達成するため、この発明のうち請求項１記載の発明は、スライダーの胴体１の上面に引手２を取り付けるための取付部４を設け、この取付部４に対し、連結体３の一部を横方向すなわちスライダーの摺動方向と直交する方向に挿通して、横方向に回動可能に形成し、連結体３の左右いずれか一方側に、弾性体から形成された適宜形状の引手２を固定して固定部２２を形成し、引手２を常時胴体１の上面へ横倒しに倒伏する形に付勢したスライドファスナー用スライダーの引手を主な構成とするものである。なおここで引手２を常時胴体１の上面へ倒伏する形とは、引手２が胴体１の上面に略平行になるように配される状態をいう。
【００１０】
請求項２記載の発明は、請求項１記載の発明の構成に加え、連結体３に固定する弾性体から形成された引手２は、適宜形状の環状に形成し、環状に形成した一部を連結体３に設けた縦バー２１に固定して固定部２２を形成したスライドファスナー用スライダーの引手である。
【００１１】
請求項３記載の発明は、請求項１記載の発明の構成に加え、連結体３に固定する弾性体から形成された引手２は、適宜形状の板状に形成し、板状に形成した一部を連結体３に設けた縦バー２１に固定して固定部２２を形成したスライドファスナー用スライダーの引手である。
【００１２】
請求項４記載の発明は、請求項１記載の発明の構成に加え、弾性体の引手２を胴体１に連結する連結体３は、胴体１の上面に設けた引手取付部４に挿通できる２本の横バー２０を間隔をおいて配した形に形成し、横バー２０の両側の先端に横バー２０よりも前後に突出する縦バー２１を一体に成形したスライドファスナー用スライダーの引手である。
【００１３】
請求項５記載の発明は、請求項１記載の発明の構成に加え、弾性体の引手２を胴体１に連結する連結体３は、弾性体の引手２を固定した固定部２２をスライダーの胴体１の上面へ当接状態に載置したスライドファスナー用スライダーの引手である。
【００１４】
請求項６記載の発明は、請求項１記載の発明の構成に加え、弾性体の引手２を胴体１に連結する連結体３は、横バー２０の一方側に縦バー２１を配し、この縦バー２１にＵ字形の横バー２０を連接し、胴体１の上面に設けた取付部４の左右に配置する横バー２０間に胴体１の上面に突設した突起６を嵌合したスライドファスナー用スライダーの引手である。
【００１５】
請求項７記載の発明は、請求項１記載の発明の構成に加え、弾性体の引手２を胴体１に連結する連結体３は、胴体１の上面に設けた取付部４を遊嵌できる環状の支持部２３を有し、支持部２３の一方側の外側に胴体１の上面へ張り出す規制部２６を設け、この規制部２６の反対側に弾性体の引手２を固定した固定部２２を設けたスライドファスナー用スライダーの引手である。
【００１６】
請求項８記載の発明は、請求項１記載の発明の構成に加え、弾性体の引手２を胴体１に連結する連結体３は、１本の横バー２０の両端に縦バー２１を連接し、一方側の縦バー２１の外側に外方へ突出する係止部２７を設け、この係止部２７に弾性体から形成された引手２を取付環２８によって固定したスライドファスナー用スライダーの引手である。
【００１７】
請求項９記載の発明は、請求項１記載の発明の構成に加え、弾性体の引手２を胴体１に連結する連結体３は、連結体３に横設した横バー２０を胴体１の上面に取り付けたカバー体５内に内装した自動停止爪杆１０に挿通し、自動停止爪杆１０を浮上できるように形成したスライドファスナー用スライダーの引手である。
【００１８】
請求項１０記載の発明は、請求項２または３記載の発明の構成に加え、連結体３に連結する弾性体の引手２は、連結体３の一方側に配した縦バー２１を弾性体に埋装し固定して固定部２２を形成したスライドファスナー用スライダーの引手である。
【００１９】
請求項１１記載の発明は、請求項２または３記載の発明の構成に加え、連結体３に連結する弾性体の引手２は、胴体１の中央長手方向において、弾性変形がし易い形すなわちくびれ、または凹状のくびれ部３１を形成したスライドファスナー用スライダーの引手である。
【００２０】
請求項１２記載の発明は、請求項２または３記載の発明の構成に加え、連結体３に連結する弾性体の引手２は、連結体３を固定した固定部２２の反対側に径が太くなる拡径状または肉厚状の掴持部３０すなわち摘み部分を形成したスライドファスナー用スライダーの引手である。
【００２１】
請求項１３記載の発明は、請求項２記載の発明の構成に加え、連結体３に連結する弾性体の引手２は、環状に形成し連結体３を固定した固定部２２の反対側において斜め前方へ突出し、空隙部分が拡大する掴持部３０すなわち摘み部分を形成したスライドファスナー用スライダーの引手である。
【００２２】
請求項１４記載の発明は、請求項２記載の発明の構成に加え、連結体３に連結する弾性体の引手２は、環状のＤ字形または逆Ｄ字形に形成し連結体３を固定した固定部２２の反対側において前後に空隙部分を有する掴持部３０すなわち摘み部分を形成したスライドファスナー用スライダーの引手である。
【００２３】
請求項１５記載の発明は、請求項３記載の発明の構成に加え、弾性体から形成された引手２は、板状に形成し、連結体３に固定した固定部２２から略垂直に立設し、取付部４を被覆できるように屈折して屈曲部３２を形成したスライドファスナー用スライダーの引手である。
【００２４】
請求項１６記載の発明は、請求項１記載の発明の構成に加え、連結体３に連結する弾性体の引手２は、引手の素材材質に天然ゴム、合成ゴム、熱可塑性エラストマーを用いて一体成形して形成したスライドファスナー用スライダーの引手である。
【００２５】
【発明の実施の形態】
以下、この発明のスライドファスナー用スライダーの引手の実施の形態について、図面を参照しながら具体的に説明する。
【００２６】
この発明のスライドファスナー用スライダーの引手は、各実施形態に共通する構成は、ともにスライダーの胴体１の上面の中央長手方向に設けた引手取付部４に適宜形状の弾性体の引手２を取り付けるのに連結体３を用い、胴体１に設置した取付部４に対し、連結体３の一部をスライダーの摺動方向と直交状に挿通して横方向にわずかに回動できるように取り付け、この連結体３の左右いずれか一方側に弾性体から形成した環状または板状の引手２を固定し、引手２がむやみに揺動できないように、胴体１の上面へ横倒しに倒伏するように付勢したスライダーの引手に特徴がある。
【００２７】
図１〜４に示す第１実施形態のスライドファスナー用スライダーの引手は、自動停止装置付スライダーに設置したものであり、スライダーの胴体１の上面の中央長手方向に引手取付部４としてのカバー体５を設置し、カバー体５は胴体１の前方に設けた取付柱に支軸１６によって軸支し、この支軸１６に対し後端に停止爪１１を下方へ突出した自動停止爪杆１０をカバー体５内で軸支する。自動停止爪杆１０は停止爪１１の上方に凹部１２を横設し、停止爪杆１０の前端に胴体１内に配設したコイルスプリング１７を弾接し停止爪１１を常時胴体１内に設けたガイド溝１３に突出させる。
【００２８】
連結体３は引手取付部４としてのカバー体５内に横方向から挿入できる２本の横バー２０を間隔をおいて並設し、この横バー２０の両先端に横バー２０よりも前後へ突出する縦バー２１を一体に連接したものであり、縦バー２１を横バー２０よりも前後に突出させることによって、連結体３の前後の傾きを抑制できるように形成する。そして連結体３はアルミニウム合金、亜鉛合金などを用いてダイカスト成形によって一体に成形する。
【００２９】
引手２は弾性体から形成され、弾性体には生ゴム、合成ゴム、熱可塑性エラストマーの材質の弾性体を用いて一体成形して形成する。成形の際、連結体３の一方側の縦バー２１を同時に弾性体に埋装して、引手２と連結体３とを強固に固定することによって固定部２２を形成する。引手２の形状は環状であり、連結体３の縦バー２１を埋装した固定部２２が略胴体１の長さで直線状に形成し、その両端から胴体１を包囲する形で、胴体１の前方では斜め前方へ突出し空隙部分が拡大して指先が差し込み易く、かつ摘み易いように掴持部３０を形成する。またその下方の胴体１の側方にあたる引手２は、弾性体が太くなる拡径状の掴持部３０を形成し、スライダーを後方へ摺動させるとき摘み易いように形成する。さらに胴体１の中央長手方向の前後に対向する部分の弾性体に細くくびれたくびれ部３１を設けて弾性体の引手２が容易に弾性変形できるように形成する。
【００３０】
弾性体の引手２と一体化された連結体３とを胴体１に取り付けるには、胴体１の上面に後口側からアリ溝的な凹溝８を設け、この凹溝８内で前後に滑動できる摺動体１４を嵌入し、摺動体１４は底部の両側に突出する突条部を設けて凹溝８に摺動自在に嵌入する。そして摺動体１４と、カバー体５を取り付けた取付柱との間にコイルスプリングを介在させ後口側へ弾発させる。また摺動体１４の上面には連結体３の後方の横バー２０を収容できる凹陥部１５を設け、前方の横バー２０は停止爪杆１０に設けた凹部１２に挿入し、カバー体５は前方を取付柱に支軸１６によって軸支し、カバー体５の後方は開口状態に形成して摺動体１４の凹陥部１５に、横バー２０を挿入した状態で凹溝８内へ嵌入できる。摺動体１４を凹溝８内に嵌入した後、摺動体１４を凹溝８内に封止するため、凹溝８の入口に設けた封止突起９を圧潰して凹溝８の一部を封鎖し、摺動体１４が凹溝８から脱出するのを阻止するとともに、連結体３を埋装した固定部２２を胴体１の上面へ当接する形に載置して自動停止装置付スライダーを組み立てる。
【００３１】
スライダーの操作は、ファスナーチェンを閉鎖させるときは、引手２の掴持部３０に指先を差し込んで前方へ引っ張ると、弾性体の引手２はくびれ部３１によって起こされ、弾性体を固定した固定部２２を回動させようとする力と引手２を持ち上げる力とが作用し、その作用によって連結体３は自由な縦バー２１を胴体１の上面へわずかに浮き上がらせ、同時にカバー体５内の停止爪杆１０も浮き上がり、停止爪１１をガイド溝１３から脱出することによりスライダーを前方へ摺動させることができる。なお停止爪１１が多少ガイド溝１３に突出していても、停止爪杆１０の形態によってファスナーエレメントによりコイルスプリング１７を圧縮して前方へ摺動させることができる。
【００３２】
スライダーを停止し、引手２の掴持部３０から指を離すと弾性体の復元力によって、引手２は胴体１の上面へ倒伏し、同時に連結体３も胴体１上面へ当接し停止爪杆１０はコイルスプリング１７の弾力によって、停止爪１１をガイド溝１３へ突出させ、ファスナーエレメント間に挿入してスライダーを自動的に停止させ、引手２は胴体１に倒伏し当接した状態で保持され、引手２がぶらぶら揺動することがないように保持する。
【００３３】
次にファスナーチェンを分離開口させる場合は、引手２の掴持部３０を摘んで引手２をわずかに持ち上げ、後方へ引っ張ると弾性体の引手２は持ち上げる力によって固定部２２を回動させ、その作用によって連結体３は自由な縦バー２１を胴体１の上面へわずかに浮き上がらせ、同時に停止爪杆１０も浮き上がり停止爪１１をガイド溝１３から脱出してスライダーを後方へ摺動させることができる。
【００３４】
以上説明したとおり、スライダーは環状の弾性体から形成された引手２を弾性体の弾力に抗してわずかに持ち上げ操作すればスライダーを摺動させることができ、また引手２から手を離すと、弾性体の弾力によって引手２は胴体１の上面へ自動的に倒伏し、しかも引手２は外力が作用しない限り胴体１上に保持され、ぶらぶら揺動することがなく安定した状態で保持される。
【００３５】
図５に示す第２実施形態のスライドファスナーの引手について説明すると、このスライダーの形態は、前例とは引手２の形状が異なる他は前例と同一形態である。引手２は環状の弾性体を逆Ｄ字形に形成し、湾曲部分に連結体３の縦バー２１を埋装し一体化して固定部２２を形成する。固定部２２の反対側の前後に幅広い空隙を設けて掴持部３０を形成し、いずれからでも摘み易くして操作の容易性を図ったスライダーの引手である。
【００３６】
図６、７に示す第３実施形態のスライダーの引手について説明すると、連結体３の横バー２０がＵ字形を呈し、Ｕ字形の横バー２０の先端に縦バー２１を一体に連接し、この縦バー２１を環状のＤ字形に形成した弾性体の引手２の湾曲側部分に埋装して固定部２２を形成し、この固定部２２の反対側に幅広い空隙が前後に配した形の掴持部３０を形成し、また引手２は胴体１の中央長手方向の前後において対向する部分に、凹部形状のくびれ部３１を形成して弾性変形がし易いように形成する。
【００３７】
そしてＵ字形を呈する連結体３を胴体１の上面に配した際、連結体３が前後に傾き移動するのを防ぐため、取付部４の左右に突起６を胴体１の上面に突設し、この突起６をＵ字形の横バー２０の間に嵌め込んで固定し、引手２のがたつくのを防いだスライダーである。
【００３８】
図８、９に示す第４実施形態のスライダーの引手について説明すると、胴体１に取り付ける連結体３は、胴体１に設けた引手取付部４を捲回して包囲し遊嵌できる舌片状の支持部２３を設け、この支持部２３の側方に弾性体の引手２を取り付けるための舌片状の係止片２４を一体に連接し、係止片２４の内面には弾性体の引手２を捕捉できる係止突部２５を設け、また支持部２３が取付部４を捲回して遊嵌した際、胴体１に接する部分に側方へ張り出し連結体３の揺動を防ぐための規制部２６が設けられている。
【００３９】
連結体３の胴体１への装着は、まず取付部４を捲回して包囲する形で支持部２３の規制部２６が胴体１に接する状態で環状に捲きつけ、その先端の舌片状の係止片２４を弾性体の引手２に捲きつけ、係止突部２５を適宜環状の引手２に刺し込んで固定部２２を形成し、この固定部２２は胴体１の上面へ当接する形に配して連結体３の揺動を防ぐように形成する。
【００４０】
図１０〜１２に示す第５実施形態のスライダーの引手について説明すると、連結体３は１本の横バー２０の両先端に縦バー２１を一体に連接し、一方側の縦バー２１の外側に外方へ突出する突片状の係止部２７を設ける。横バー２０は係止部２７を設けた側の端部近傍において仰角状に折り曲げて折曲部２９を形成し、さらに折曲部２９の先端部分で水平に折り曲げ係止部２７が水平に突出するように形成する。
【００４１】
連結体３の縦バー２１の外側に適宜環状の弾性体から形成された引手２をあてがい、舌片状の取付環２８を縦バー２１と引手２の周囲に捲いて締めつけることにより、係止部２７が弾性体の引手２に食い込んで強固に固定した固定部２２が形成される。
【００４２】
この連結体３は、図１２に示すように自動停止装置付スライダーに装備され、たとえば胴体１の上面に配したカバー体５内へ立設した取付柱７の上面に板バネ１８を載置し、その下側に停止爪１１を下方へ突設した停止爪杆１０を配し、胴体１と停止爪杆１０との間に連結体３の横バー２０を横方向に挿通して組み付けた自動停止装置付スライダーである。
【００４３】
このタイプのスライダーは、引手２の自由端の掴持部３０をわずかに持ち上げると、横バー２０は自由な縦バー２１を胴体１の上面へわずかに浮き上がらせ、同時にカバー体５内の停止爪杆１０を浮き上がらせスライダーを前後いずれの方向へも摺動させることができる。
【００４４】
図１３、１４に示す第６実施形態のスライダーの引手について説明すると、胴体１に取り付ける連結体３は引手取付部４に横方向から挿入できる２本の横バー２０を間隔をおいて並設し、この横バー２０の両先端に横バー２０よりも前後へ突出する縦バー２１を一体に連接し、縦バー２１の一方側に板状の弾性体から形成した引手２を取り付けたスライダーである。
【００４５】
弾性体の引手２を縦バー２１に取り付ける際、縦バー２１は板状の弾性体の引手２に埋装されて固定部２２を形成し、この固定部２２から略垂直に板状の引手２は起立し、さらに胴体１の取付部４を水平に被覆する形に固定部２２の上方において屈折して屈曲部３２を設ける。
【００４６】
屈折された板状の引手２は、胴体１の取付部４の上面において厚さが薄くなる形でくびれ部３１を形成し、弾性変形が容易にできるように形成する。さらに引手２の先端部分は厚くなる肉厚状に形成して摘み易い掴持部３０を形成したものである。なおこのタイプの引手２も前例と同様に自由スライダーであっても、自動停止装置付スライダーであっても適宜に適用できるものである。
【００４７】
【発明の効果】
この発明のスライドファスナー用スライダーの引手は、以上説明したとおりの構成であり、この構成によって下記の効果を奏する。
【００４８】
この発明のうち請求項１記載の発明は、スライダーの胴体の上面に引手取付部を設け、該取付部に対し、連結体の一部をスライダーの摺動方向と直交状に挿通して横方向に回動可能に形成し、連結体の左右いずれか一方側に弾性体から形成された引手を固定して固定部を形成し、引手を常時胴体の上面へ横倒しに倒伏する形に付勢したことによって、胴体上に設けた引手取付部に対し、直交する方向に取り付けた連結体は、弾性体の引手をわずかに持ち上げることによって、固定部が回動し連結体の自由端側を容易に浮き上がらせることができ、しかも弾性体の引手は連結体に固定した部分において捻転度合が少なく、捻転による損傷が起こらず長期の使用に耐え、そのうえぶらつくことがなく胴体に体裁よく安定した状態で保持でき、使用者に不快感を与えないなどの効果がある。
【００４９】
請求項２および３記載の発明は、それぞれ請求項１記載の発明の効果に加え、弾性体から形成された引手は、環状に形成し、環状の一部を連結体に設けた縦バーに固定して固定部を形成するか、または弾性体から形成された引手は、板状に形成し、板状の一部を連結体に設けた縦バーに固定して固定部を形成したことによって、それぞれスライダーの胴体に取り付ける弾性体の引手が、環状あるいは板状であるから、各種タイプのスライダーに適応でき顧客のニーズを満たすことができる効果がある。
【００５０】
請求項４記載の発明は、請求項１記載の発明の効果に加え、連結体は取付部に挿通できる２本の横バーを間隔をおいて配し、横バーの先端に横バーよりも前後に突出する縦バーを一体に成形したことによって、連結体を簡単な構造から形成でき、しかも操作の際連結体が前後に傾くのを未然に防いで円滑な摺動操作ができる効果がある。
【００５１】
請求項５記載の発明は、請求項１記載の発明の効果に加え、連結体は弾性体の引手を固定した固定部を胴体上に当接する状態に載置したことによって、連結体は弾性体の引手を固定した固定部を胴体上へ常時載置できるように形成しているので、弾性体の引手を胴体上へ安定した状態で、しかも体裁よく保持できる効果がある。
【００５２】
請求項６記載の発明は、請求項１記載の発明の効果に加え、連結体は一方側に縦バーを配し、縦バーにＵ字形の横バーを連接し、胴体上に設けた取付部の左右に配される横バー間に胴体上に突設した突起を嵌合したことによって、連結体はＵ字形であって胴体上へ安定した状態で保持でき、しかも操作の際前後に傾くのを簡単な構造で防いで円滑な摺動操作ができる効果がある。
【００５３】
請求項７記載の発明は、請求項１記載の発明の効果に加え、連結体は胴体上に設けた取付部を遊嵌できる環状の支持部を有し、支持部の外側に胴体の上面へ張り出す規制部を設け、規制部の反対側に弾性体の引手を固定した固定部を設けたことによって、連結体は取付部を遊嵌し、しかも操作の際連結体が前後に傾くのを未然に防いで、的確かつ円滑な操作ができる効果がある。
【００５４】
請求項８記載の発明は、請求項１記載の発明の効果に加え、連結体は１本の横バーの両端に縦バーを連接し、一方側の縦バーの外側に突出する係止部を設け、係止部に弾性体の引手を取付環によって固定したことによって、簡単な構造の連結体に簡易に弾性体から形成された環状の引手を強固に取り付けることができる効果がある。
【００５５】
請求項９記載の発明は、請求項１記載の発明の効果に加え、連結体は横設した横バーを胴体上に取り付けたカバー体内に内装した自動停止爪杆に挿通し、停止爪杆を浮上可能に形成したことによって、連結体を簡単な構造で自動停止機構を備えたスライダーに簡易に適用できる効果がある。
【００５６】
請求項１０記載の発明は、請求項２または３記載の発明の効果に加え、弾性体の引手は、連結体の一方側に配した縦バーを埋装し固定して固定部を形成したことによって、弾性体から形成された引手に、連結体をきわめて簡単かつ強固に固定することができる効果がある。
【００５７】
請求項１１記載の発明は、請求項２または３記載の発明の効果に加え、弾性体の引手は、胴体の中央長手方向においてくびれたまたは凹状のくびれ部を形成したことによって、弾性変形は固定部にあまり影響することがなく、したがって的確な操作が行える効果がある。
【００５８】
請求項１２記載の発明は、請求項２または３記載の発明の効果に加え、環状の弾性体の引手は、連結体を固定した固定部の反対側に拡径状または肉厚状の掴持部を形成したことによって、弾性体の引手に操作のし易い簡単な構造の摘み部分を簡易に作製することができる効果がある。
【００５９】
請求項１３および１４記載の発明は、それぞれ請求項２記載の発明の効果に加え、弾性体の引手は、環状に形成し連結体を固定した固定部の反対側に斜め前方へ空隙が拡大する掴持部を形成するか、あるいは環状のＤ字形または逆Ｄ字形に形成し連結体を固定した固定部の反対側の前後に、空隙が拡大する掴持部を形成したことによって、それぞれ環状の弾性体の引手に簡単な構造で効率よく引っ張ることができる摘み部分を形成できる効果がある。
【００６０】
請求項１５記載の発明は、請求項３記載の発明の効果に加え、弾性体の引手は、板状に形成し、固定部を基準に起立して取付部を被覆する形に屈折して屈曲部を設けたことによって、弾性体の板状の引手を容易に各種タイプのスライダーに、体裁よく取り付けることができ、かつ操作がきわめて容易にできる効果がある。
【００６１】
請求項１６記載の発明は、請求項１記載の発明の効果に加え、弾性体の引手は、天然ゴム、合成ゴム、熱可塑性エラストマーから形成したことによって、環状または板状の弾性体の引手を容易に弾性変形ができる素材から簡単に成形でき、効率のよい弾発性が発揮できる効果があるなど、この発明が奏する効果はきわめて顕著である。
【図面の簡単な説明】
【図１】第１実施形態のスライドファスナー用スライダーの引手を備えたスライダーの斜視図である。
【図２】同上スライダーの正面図である。
【図３】同上スライダーの図２における引手のＡ−Ａ線断面図である。
【図４】同上スライダーの図２におけるＢ−Ｂ線断面図である。
【図５】第２実施形態のスライドファスナー用スライダーの引手を備えたファスナーチェンの正面図である。
【図６】第３実施形態のスライドファスナー用スライダーの引手を備えたスライダーの正面図である。
【図７】同上スライダーの要部を示すＣ−Ｃ線断面図である。
【図８】第４実施形態のスライドファスナー用スライダーの引手を備えたスライダーの正面図である。
【図９】同上スライダーのＤ−Ｄ線断面図である。
【図１０】第５実施形態のスライドファスナー用スライダーの引手の要部を示す正面図である。
【図１１】同上引手のＥ−Ｅ線断面図である。
【図１２】同上引手を備えたスライダーの縦断面図である。
【図１３】第６実施形態のスライドファスナー用スライダーの引手を備えたスライダーの正面図である。
【図１４】同上スライダーの要部を示すＦ−Ｆ線断面図である。
【図１５】公知のスライダーの斜視図である。
【符号の説明】
１        胴体
２        引手
３        連結体
４        取付部
５        カバー体
６        突起
１０        停止爪杆
２０        横バー
２１        縦バー
２２        固定部
２３        支持部
２６        規制部
２７        係止部
２８        取付環
３０        掴持部
３１        くびれ部
３２        屈曲部
【図１】
0003611183.tif 000002
【図２】
0003611183.tif 000003
【図３】
0003611183.tif 000004
【図４】
0003611183.tif 000005
【図５】
0003611183.tif 000006
【図６】
0003611183.tif 000007
【図７】
0003611183.tif 000008
【図８】
0003611183.tif 000009
【図９】
0003611183.tif 000010
【図１０】
0003611183.tif 000011
【図１１】
0003611183.tif 000012
【図１２】
0003611183.tif 000013
【図１３】
0003611183.tif 000014
【図１４】
0003611183.tif 000015
【図１５】
0003611183.tif 000016